【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
許可により制限される情報を共有する方法であって、
ユーザは、共有されるべきコンテンツをデータストアに提供するステップと、
前記ユーザは、オンラインサービスに対して前記コンテンツを共有する複数の個人またはグループを指定するステップと、
前記提供するステップおよび前記指定するステップの後に、前記指定される複数のものを備える新しいグループを、前記オンラインサービスを介して自動的に生成するステップと、
前記個人またはグループを、前記新しいグループのメンバになるように招聘するステップと、
ユーザではない、規定の許可レベルを有する個人に、前記新しいグループに参加するように他のメンバを招聘することを許すステップと、
個人に、個人が招聘したそれぞれの新しい人に対する、異なる個別の許可レベルを特定することを許すステップであって、その結果、前記新しいグループのメンバに、前記新しいグループのすべての人々が使用できるアドオンを購入することを許すステップと、
前記データストアからのコンテンツを、前記新しいグループにおけるメンバーシップを承認したグループのうちの１つの個人またはメンバの１人からの、オンラインサービスへのオンデマンドで表示するステップと、
前記新しいグループのメンバが、グループコンテンツを共有することを許すステップと、を含み、グループコンテンツはそれ自体の許可を有することが可能であり、前記コンテンツをポスティングする場合にメンバによって線引きされる許可を含む方法。
【請求項２】
前記ユーザおよび前記個人およびグループの各々は、同じオンラインサービスのメンバである、請求項１に記載の方法。
【請求項３】
前記ユーザおよびグループは、同じオンラインサービスのメンバであるが、前記個人は各々そうである場合も、そうでない場合もある、請求項１に記載の方法。
【請求項４】
前記オンラインサービスのメンバでない前記個人は、前記オンラインサービスのメンバとなるように、前記オンラインサービスによって自動的に招聘される、請求項３に記載の方法。
【請求項５】
許可により制限される情報を共有するためのコンピュータ読取り可能コードを備えるコンピュータソフトウェアを備える有形コンピュータ読取り可能媒体であって、
前記ソフトウェアは、ユーザが共有されるべきコンテンツをオンラインサービスに提供することを許可するコードと、
前記ユーザが前記コンテンツを共有する複数の個人またはグループを指定することを許可するコードと、
前記提供しかつ指定するコードの実行後に、前記指定される複数のものを備える新しいグループを自動的に生成するコードと、
前記個人またはグループを、前記新しいグループのメンバになるように招聘することを許可するコードと、
グループの作成者ではない、規定の許可レベルを有する個人に、前記新しいグループに参加するように他のメンバを招聘することを許すコードと、
個人に、個人が招聘したそれぞれの新しい人に対する、異なる個別の許可レベルを指定することを許すコードと、
前記新しいグループのメンバにアドオンを購入することを許すコードと、
前記アドオンが、前記新しいグループのすべての人々から使用されることを許すコードと、
前記データストアからのコンテンツを、前記新しいグループにおけるメンバーシップを承認したグループのうちの１つの個人またはメンバの１人からの、オンラインサービスへのオンデマンドで表示するコードと、
前記指定される複数の新しいグループに、グループコンテンツを共有することを許可するコードとを備え、前記グループコンテンツはそれ自体の許可を有することが可能であり、前記コンテンツをポスティングする場合にメンバによって線引きされる許可を含む、有形コンピュータ読取り可能媒体。
【請求項６】
前記ユーザおよび前記個人およびグループの各々は、同じオンラインサービスのメンバである、請求項５に記載の有形コンピュータ読取り可能媒体。
【請求項７】
前記ユーザおよびグループは、同じオンラインサービスのメンバであるが、前記個人は各々そうである場合も、そうでない場合もある、請求項５に記載の有形コンピュータ読取り可能媒体。
【請求項８】
前記オンラインサービスのメンバでない前記個人は、前記オンラインサービスのメンバとなるように、前記オンラインサービスによって自動的に招聘される、請求項７に記載の有形コンピュータ読取り可能媒体。
【請求項９】
許可により制限される情報を共有するためのコンピュータ読取り可能コードを備えるコンピュータソフトウェアを備える有形コンピュータ読取り可能媒体であって、前記ソフトウェアは、オンラインサービスに、複数の個人メンバおよびグループをコンパイルするコードと、前記個人およびグループに関連づけられるコンテンツを提供するコードと、グループコンテンツのタイプ、前記ユーザが一メンバであるグループ、前記ユーザが一メンバであるグループにおける個人メンバの組合せ、前記ユーザによるコンタクトの何れかにより前記ユーザと共有されるコンテンツ、前記オンラインサービス以外のソースからのコンテンツ、アクセスおよび許可レベルおよびユーザ選択可能表示設定より成るグループのうちの１つまたはそれ以上による任意の組合せを基礎とすることが可能な組み合わされたコンテンツビューをユーザへ表示するコードと、
グループの作成者ではない、規定の許可レベルを有する個人メンバに、前記新しいグループに参加するように他のメンバを招聘することを許すコードと、
個人メンバに、個人メンバが招聘したそれぞれの新しい人に対する、異なる個別の許可レベルを指定することを許すコードと、
メンバにタグコンテンツを許可するコードと、
前記コンテンツが第１メンバグループによって閲覧される時に、前記タグを見せることを許可するが、前記コンテンツが別のユーザグループによって共有される時には、前記タグを見せることを許可しないコードと、
前記ユーザによって付された許可に依存して、前記グループからの1つ以上の記事を制御するコードであって、前記記事は、他のユーザによって前記コンテンツに追加されたコメントを、前記ユーザに対して表示されてもされなくてもよい、前記ユーザは前記コンテンツにコメントを追加することができてもできなくてもよい、前記ユーザは前記コンテンツを再共有できてもできなくてもよい、および、前記ユーザは前記コンテンツをダウンロードできてもできなくてもよい、という内容で構成されるコードと、
コンテンツを共有する、指定される複数の個人またはグループを含む新しいグループを作成するコードと、
前記指定される複数の新しいグループに、グループコンテンツを共有することを許可するコードとを備え、前記グループコンテンツはそれ自体の許可を有することが可能であり、前記コンテンツをポスティングする場合にメンバによって線引きされる許可を含む有形コンピュータ読取り可能媒体。
【請求項１０】
グループコンテンツのタイプは、グループメンバにより生成される１つまたは複数の同じタグを共有するグループコンテンツを含む、請求項９に記載の有形コンピュータ読取り可能媒体。
【請求項１１】
前記表示するステップのために、前記ユーザは、前記ユーザが一メンバであるグループの任意のサブセットを、前記オンラインサービスによって選択することができる、請求項９に記載の有形コンピュータ読取り可能媒体。
【請求項１２】
前記表示するステップのために、前記ユーザは、前記ユーザが一メンバであるグループにおける前記個人メンバの任意のサブセットを、前記オンラインサービスによって選択することができる、請求項９に記載の有形コンピュータ読取り可能媒体。
【請求項１３】
許可により制限される情報を共有する方法であって、
第１ユーザは、共有されるべき第１ユーザコンテンツをデータストアに提供するステップであって、前記第１ユーザは、オンラインサービスに対して、前記第１ユーザコンテンツを共有する第１の複数の個人またはグループを含む第１グループメンバによって形成される第１メンバグループを指定するステップと、
前記提供するステップおよび前記指定するステップの後に、前記指定される第１グループメンバを備える前記第１メンバグループを、前記オンラインサービスを介して自動的に生成するステップと、
前記第１グループメンバを、前記第１メンバグループのメンバになるように招聘するステップと、
前記第１グループメンバに、前記データストアに第１グループコンテンツをアップロードすることを許すステップと、
前記第１グループメンバに前記第１グループコンテンツを共有することを許すステップであって、前記第１グループコンテンツはそれ自体の許可を有することが可能であり、前記コンテンツをアップロードする場合にメンバによって線引きされる許可を含むステップと、
第１グループメンバが、前記オンラインサービスに対して、第１メンバコンテンツを共有する、第２の複数の個人またはグループを含む、第２グループメンバによって形成される第２メンバグループを指定するステップであって、前記第２グループは前記第１メンバグループのメンバである必要はないステップと、
前記第１メンバが、前記第１メンバグループのメンバではない個人を、前記第１メンバグループに参加するように招聘するステップと、
前記第１ユーザが前記第１グループのメンバそれぞれのアクセスレベルを指定し、前記第１メンバが前記招聘された個人のアクセスレベルを指定するステップと、
前記データストアからのコンテンツを、前記第２メンバグループにおけるメンバーシップを承認したグループのうちの１つの個人またはメンバの１人からの、オンラインサービスへのオンデマンドで表示するステップと、を含む方法。
【請求項１４】
前記第１ユーザコンテンツが第１メンバグループによって共有される時に、前記タグを見せるが、前記第１ユーザコンテンツが前記第１メンバグループのメンバでないユーザによって共有される時には、前記タグを見せないステップをさらに含む、請求項１３に記載の方法。
【請求項１５】
前記第１メンバグループのメンバに、前記第１メンバグループの他のすべてのメンバが使用できるアドオンを購入することを許す、請求項１３に記載の方法。
【請求項１６】
前記第１および第２の複数の個人またはグループは、同一のオンラインサービスのメンバである、請求項１３に記載の方法。
【請求項１７】
前記第１ユーザとグループは同一のオンラインサービスのメンバであるが、前記第１および第２の複数の個人は同一であってもなくてもよい、請求項１３に記載の方法。
【請求項１８】
前記オンラインサービスのメンバではない前記個人は、前記オンラインサービスのメンバになるように、前記オンラインサービスによって自動的に招聘される、請求項１７に記載の方法。
【請求項１９】
前記第１メンバは、前記第１ユーザが前記第１メンバに指定したアクセスレベルよりも高い、招聘された個人にアクセスレベルを指定することができない、請求項１７に記載の方法。